(57)【要約】【課題】端子金具の保持力向上を図ることができる電気コネクタを提供する。【解決手段】電気コネクタ１００は、端子金具１０を挿入するために形成された複数の端子保持溝３２と、端子保持溝３２に挿入された端子金具１０に設けられた第一係止部１１に係止する離脱防止用の一次係止部３１を有するハウジング３０と、ハウジング３０に一体的に設けられ端子保持溝３２に挿入された端子金具１０に設けられた第二係止部１２に係止する離脱防止用の二次係止部６２を有するリヤホルダ６０とを備え、リヤホルダ６０の正面に、端子金具１０の第二係止部１２の背面に設けられた凸部１６が嵌入可能な凹部６７が設けられている。【選択図】図２
2014120484.tif 000002
【特許請求の範囲】
【請求項１】
端子金具を挿入するために形成された複数の端子保持溝と、前記端子保持溝に挿入された前記端子金具に設けられた第一係止部に係止する離脱防止用の一次係止部を有するハウジングと、前記ハウジングに一体的に設けられ前記端子保持溝に挿入された前記端子金具に設けられた第二係止部に係止する離脱防止用の二次係止部を有するリヤホルダとを備え、前記リヤホルダの正面に、前記端子金具の第二係止部の背面に設けられた凸部が嵌入可能な凹部を設けた電気コネクタ。
【請求項２】
前記リヤホルダを回動させて前記ハウジングに重ね合わせたとき前記リヤホルダと前記ハウジングとを接合する凹凸嵌合機構を設けた請求項１記載の電気コネクタ。
【請求項３】
前記リヤホルダが回動前の状態において、前記ハウジングと前記リヤホルダとが鈍角をなす請求項１または２記載の電気コネクタ。
【請求項４】
前記凹凸嵌合機構が、前記ハウジングの前記端子保持溝を形成する隔壁に設けられた第一凸部と、前記第一凸部を嵌入させるため前記リヤホルダに設けられた第一凹部とで構成された請求項２または３記載の電気コネクタ。
【請求項５】
前記凹凸嵌合機構が、前記リヤホルダの側面に設けられた第二凸部と、前記第二凸部を嵌入させるため前記ハウジングに設けられた第二凹部とで構成された請求項２〜４のいずれかに記載の電気コネクタ。
【請求項６】
前記第二凹部が、前記ハウジングに設けられた可撓性の起立壁に前記第二凸部が嵌入可能な状態で開設された穴部である請求項５記載の電気コネクタ。
【請求項７】
前記凹凸嵌合機構が、前記リヤホルダの正面に設けられた第三凸部と、前記第三凸部を嵌入させるため前記ハウジングに設けられた第三凹部とで構成された請求項２〜６のいずれかに記載の電気コネクタ。
【請求項８】
前記端子保持溝に挿入された前記端子金具に前記挿入方向と逆方向の外力が加わったとき、前記隔壁の前記第一凸部に当接して前記端子金具の離脱を阻止するストッパ部を前記リヤホルダに開設された穴部に設けた請求項１〜７のいずれかに記載の電気コネクタ。
【発明の詳細な説明】
【技術分野】
【０００１】
本発明は、回路基板とワイヤハーネスとを電気的に接続する手段として前記ワイヤハーネス側に使用する電気コネクタに関する。
【背景技術】
【０００２】
回路基板とワイヤハーネスとの電気的接続手段である電気コネクタについては、従来、様々な構造、機能を有するものが提案されているが、コネクタハウジングに挿入される端子金具の保持力を向上させるため、端子金具を二重係止する機構を備えたものが知られている（例えば、特許文献１参照。）。
【０００３】
特許文献１記載の「電気コネクタ」は、コネクタハウジング内に形成された複数の端子収容室に端子金具の後抜けを防止するランスを設けた電気コネクタにおいて、二重係止用のリヤホルダに設けられた各係止片の側面に仮係止突起を設け、この仮係止突起によって外周壁を挟むようにしてリヤホルダを係止させることで、そのリヤホルダの係止片が端子金具の挿入路域内に張り出すことなく、リヤホルダを仮係止することができる、というものである。
【先行技術文献】
【特許文献】
【０００４】
【特許文献１】特開平７−２１１３８０号公報
【発明の概要】
【発明が解決しようとする課題】
【０００５】
特許文献１記載の「電気コネクタ」においては、コネクタハウジングに形成された複数の端子収容室内に収容された端子金具を二重係止する手段として、ランス及びリヤホルダが設けられているが、端子収容室に収容された端子金具の保持力が不十分な面がある。
【０００６】
そこで、本発明が解決しようとする課題は、端子金具の保持力向上を図ることができる電気コネクタを提供することにある。
【課題を解決するための手段】
【０００７】
本発明に係る電気コネクタは、端子金具を挿入するために形成された複数の端子保持溝と、前記端子保持溝に挿入された前記端子金具に設けられた第一係止部に係止する離脱防止用の一次係止部を有するハウジングと、前記ハウジングに一体的に設けられ前記端子保持溝に挿入された前記端子金具に設けられた第二係止部に係止する離脱防止用の二次係止部を有するリヤホルダとを備え、前記リヤホルダの正面に、前記端子金具の第二係止部の背面に設けられた凸部が嵌入可能な凹部を設けたことを特徴とする。
【０００８】
このような構成とすれば、端子金具の第二係止部とリヤホルダの正面部分との当接面積を広く確保することができるので、端子金具の保持力向上に有効である。
【０００９】
ここで、前記リヤホルダを回動させて前記ハウジングに重ね合わせたとき前記リヤホルダと前記ハウジングとを接合する凹凸嵌合機構を設けることもできる。
【００１０】
このような構成とすれば、ハウジングの端子保持溝に端子金具を挿入した後、リヤホルダを回動させてハウジングに重ね合わせれば、前記凹凸嵌合機構によって両者が一体的に接合されるので、組み立て作業が容易となり、コネクタ全体の低背化を図ることもできる。また、端子保持溝に挿入された端子金具の第一係止部及び第二係止部は、それぞれ、ハウジングの一次係止部及びリヤホルダの二次係止部によって二重係止されるため、端子金具を安定保持することもできる。
【００１１】
ここで、前記リヤホルダが回動前の状態において、前記ハウジングと前記リヤホルダとが鈍角をなすような形状とすることができる。
【００１２】
このような構成とすれば、ハウジングに形成された端子保持溝に端子金具を挿入する工程において、リヤホルダが挿入作業を邪魔しなくなるので、組み立て作業性が向上する。
【００１３】
前記凹凸嵌合機構は、前記ハウジングの前記端子保持溝を形成する隔壁に設けられた第一凸部と、前記第一凸部を嵌入させるため前記リヤホルダに設けられた第一凹部とで構成することができる。
【００１４】
このような構成とすれば、コネクタ全体の低背化を図りながら、端子金具を強固に保持することができる。
【００１５】
また、前記凹凸嵌合機構は、前記リヤホルダの側面に設けられた第二凸部と、前記第二凸部を嵌入させるため前記ハウジングに設けられた第二凹部とで構成することができる。
【００１６】
このような構成とすれば、リヤホルダをハウジングに接合したときのガタを無くすことができ、リヤホルダを確実に接合することができる。
【００１７】
この場合、前記第二凹部が、前記ハウジングに設けられた可撓性の起立壁に前記第二凸部が嵌入可能な状態で開設された穴部であることが望ましい。
【００１８】
このような構成とすれば、リヤホルダをハウジングに接合した後、両者を引き離すような外力が加わったとき、前記第二凹部である起立壁の穴部が破損するのを防止することができる。
【００１９】
さらに、前記凹凸嵌合機構を、前記リヤホルダの正面に設けられた第三凸部と、前記第三凸部を嵌入させるため前記ハウジングに設けられた第三凹部とで構成することが望ましい。
【００２０】
このような構成とすれば、ハウジングに接合されたリヤホルダに浮きが発生するのを防止することができる。
【００２１】
一方、前記端子保持溝に挿入された前記端子金具に前記挿入方向と逆方向の外力が加わったとき、前記隔壁の前記第一凸部に当接して前記端子金具の離脱を阻止するストッパ部を前記リヤホルダに開設された穴部に設けることができる。
【００２２】
このような構成とすれば、組み立てが完了した当該電気コネクタの端子金具に挿入方向と逆方向の外力（引張力）が加わったときに端子金具が端子保持溝から抜けるのを防止することができる。なお、前記ストッパ部の形状は、先端部分が鈍角をなす突形状とすることが望ましく、このような形状とすれば、ストッパ部に押圧力が加わったときに圧潰するのを防止することができる。
【発明の効果】
【００２３】
本発明により、端子金具の保持力向上を図ることができる電気コネクタを提供することができる。
【図面の簡単な説明】
【００２４】
【図１】本発明の実施形態である電気コネクタを示す斜視図である。
【図２】図１に示す電気コネクタの分解斜視図である。
【図３】図２中の矢線Ｐ方向から見た一部切欠側面図である
【図４】図２中に示す電気コネクタ用端子金具の斜視図である。
【図５】図１に示す電気コネクタの平面図である。
【図６】図５中のＡ−Ａ線における一部省略斜視断面図である。
【図７】図５中のＢ−Ｂ線における一部省略斜視断面図である。
【図８】図７の一部拡大図である。
【図９】図１に示す電気コネクタの組み立て途中の状態を背面斜め方向から見た一部省略斜視図である。
【図１０】図５中のＡ−Ａ線における断面図である。
【図１１】図１０の一部拡大図である。
【図１２】図４中のＸ−Ｘ線における一部省略断面図である。
【図１３】図１に示す電気コネクタの組み立て途中の状態を正面斜め方向から見た一部省略斜視図である。
【図１４】図４中の矢線Ｙで示す領域を示す一部省略斜視図である。
【図１５】図５中のＣ−Ｃ線における断面図である。
【発明を実施するための形態】
【００２５】
以下、図面に基づいて本発明の実施形態について説明する。図１〜図３に示すように、本実施形態の電気コネクタ１００は、電気コネクタ用端子金具１０（以下、「端子金具１０」と略記する。）を挿入するために形成された複数の端子保持溝３２と、各端子保持溝３２に挿入された端子金具１０の第一係止部１１に係止する離脱防止用の一次係止部３１とを有するハウジング３０、及び、ハウジング３０にヒンジ部６１を介して一体的に設けられ端子保持溝３２に挿入された端子金具１０の第二係止部１２に係止する離脱防止用の二次係止部６２を有するリヤホルダ６０を備え、ヒンジ部６１を中心にリヤホルダ６０を回動させてハウジング３０の上面に重ね合わせたときリヤホルダ６０とハウジング３０とを接合するための第一凹凸嵌合機構、第二凹凸嵌合機構及び第三凹凸嵌合機構が複数個所に設けられている。
【００２６】
図４に示すように、端子金具１０は、他部材である相手端子が挿入可能な略四角筒形状のコンタクト１３と、電気ケーブル２０を接続するためコンタクト１３の基端部分に設けられた圧着部１４とを備え、コンタクト１３の先端側の上面に略四角形状に突出した第一係止部１１が突設され、コンタクト１３の基端側の上面に略四角形状に突出した第二係止部１２が突設されている。端子金具１０は、導電性を有する金属板にプレス加工及び曲げ加工などを施すことによって形成されている。
【００２７】
図２，図３に示すように、ヒンジ部６１を中心にリヤホルダ６０を回動させる前の状態において（ハウジング３０、ヒンジ部６１及びリヤホルダ６０の成形後の状態において）、ハウジング３０とリヤホルダ６０との挟角Ｒが鈍角をなしている。本実施形態では、挟角Ｒを約１３５度程度に設定しているが、これに限定するものではない。
【００２８】
図２，図５，図６に示すように、前記第一凹凸嵌合機構として、ハウジング３０の端子保持溝３２を形成する隔壁３３の上面に突設された第一凸部３４と、第一凸部３４を嵌入させるためリヤホルダ６０に開設された第一凹部である穴部６３とを備えている。後述するように、リヤホルダ６０を、ヒンジ部６１を中心に回動させることによってハウジング３０に重ね合わせて押圧すると、ハウジング３０の第一凸部３４がリヤホルダ６０の穴部６３に嵌入して、リヤホルダ６０とハウジング３０とが重なり合った状態で接合される。これにより、電気コネクタ１００の低背化を図りながら、端子保持溝３２に挿入された端子金具１０を強固に保持することができる。
【００２９】
また、図２，図９に示すように、前記第二凹凸嵌合機構として、リヤホルダ６０の側面に突設された第二凸部６４と、第二凸部６４を嵌入させるためハウジング３０に開設された第二凹部である片脚門型状の穴部３５とを備えている。穴部３５は、ハウジング３０に設けられた可撓性の起立壁３６に第二凸部６４が嵌入可能な状態で開設されている。後述するように、ヒンジ部６１を中心にリヤホルダ６０を回動させてハウジング３０に重ね合わせて押圧すると、第二凸部６４が起立壁３６内面に沿って摺動することによって穴部３５近傍の起立壁３６がハウジング３０の横方向に拡幅するように弾性変形した後、第二凸部６４が穴部３５内に嵌入する。これにより、リヤホルダ６０がハウジング３０に確実に係止され、係止後のガタも生じない。また、係止後、リヤホルダ６０をハウジング３０から引き離すような外力が加わった際に穴部３５が破損するのを防止することができる。
【００３０】
さらに、図３，図６に示すように、前記第三凹凸嵌合機構として、リヤホルダ６０の正面に設けられた第三凸部６５と、第三凸部６５を嵌入させるためハウジング３０の一次係止部３１の背面下方に設けられた第三凹部３７とを備えている。後述するように、ヒンジ部６１を中心にリヤホルダ６０を回動させてハウジング３０に重ね合わせて押圧すると、リヤホルダ６０の第三凸部６５がハウジング３０の第三凹部３７内に嵌入するので、リヤホルダ６０がハウジング３０に確実に係止され、係止後のガタや浮きも生じない。
【００３１】
次に、図６，図７，図８に示すように、端子保持溝３２に挿入された端子金具１０に挿入方向（図３中の矢線Ｑ方向）と逆方向の外力が加わったとき、隔壁３３の第一凸部３４に当接して端子金具１０の離脱を阻止するストッパ部６６がリヤホルダ６０の穴部６３の正面側の内周に突設されている。図８に示すように、ストッパ部６６の垂直断面は第一凸部３４に向かって凸の山形形状をなしており、その頂角は９０度以上に形成されているが、これに限定するものではない。なお、リヤホルダ６０の穴部６３の正面側とは、ハウジング３０にリヤホルダ６０を重ね合わせて接合した状態において端子金具１０の挿入方向（図３中の矢線Ｑ方向）の先頭側をいい、これと１８０度反対側を背面側という。
【００３２】
また、図４，図１０，図１１及び図１２に示すように、端子金具１０の第一係止部１１の背面側に、端子金具１０のコンタクト１３内に他部材である相手端子５０が挿入されて天井部１７が押圧されたとき、当該天井部１７に当接する係止突起１５が、端子金具１０の軸心１０ｃに向かって凸状をなすように形成されている。従って、後述するように、端子金具１０のコンタクト１３内に挿入された相手端子５０とコンタクト１３との電気的接続を確実にすることができる。
【００３３】
さらに、図１，図４，図１３，図１４に示すように、リヤホルダ６０をハウジング３０に接合した状態において当該リヤホルダ６０の正面側（端子金具１０の挿入方向（図３中の矢線Ｑ方向）の先頭側）に位置する部分に、端子金具１０の第二係止部１２の背面に設けられた凸部１６が嵌入可能な凹部６７が設けられている。従って、端子保持溝２３に挿入された端子金具１０の凸部１６がリヤホルダ６０の凹部６７に嵌入することにより、両者が当接する部分の面積を広く確保することができるため、端子金具１０の保持力を向上させることができる。なお、凸部１６は、端子金具１０の第二係止部１２を構成する金属板材の背面側に形成された舌片状部分を軸心１０ｃに向かって垂下させることによって形成されているが、これに限定するものではない。
【００３４】
一方、図１５に示すように、電気コネクタ１００を構成するハウジング３０と接続される他部材である雄ハウジング７０に着脱可能に係止するためハウジング３０の上面に弾性的に起伏可能に設けられたロックアーム３８の押圧操作面３８ａと、ロックアーム３８の起立方向の変形を防止する門型のロックガード部３９の最上面３９ａとが略同一平面Ｓに位置するように配置されている。なお、押圧操作面３８ａと最上面３９ａとは同一平面に位置することに限定しないので、押圧操作面３８ａを最上面３９ａより低い位置に配置してもよい。
【００３５】
図１に示す電気コネクタ１００は、図２，図３に示すように、ハウジング３０の端子保持溝３２に端子金具１０を挿入した後、リヤホルダ６０を回動させてハウジング３０に重ね合わせて押圧すれば、前述した第一凹凸嵌合機構，第二凹凸嵌合機構及び第三凹凸嵌合機構により、リヤホルダ６０とハウジング３０とが一体的に接合されるので、組み立て作業は容易であり、コネクタ全体の低背化を図ることができる。
【００３６】
また、図３に示すように、ヒンジ部６１を中心にリヤホルダ６０を回動させる前の状態においては、ハウジング３０の背面側上方で傾斜した姿勢をなすリヤホルダ６０は、ヒンジ部６１を中心にハウジング３０と鈍角をなすように形成されているため、ハウジング３０の背面側から端子保持溝３２に端子金具１０を挿入する工程において、リヤホルダ６０が挿入作業を妨げることがなく、組み立て作業性も良好である。
【００３７】
端子保持溝３２に挿入された端子金具１０の第一係止部１１及び第二係止部１２は、それぞれ、ハウジング３０の一次係止部３１及びリヤホルダ６０の二次係止部６２によって二重係止されるため、端子金具１０を安定保持することができる。
【００３８】
第一凹凸嵌合機構として、ハウジング３０の隔壁３３に設けられた第一凸部３４と、リヤホルダ６０に設けられた第一凹部である穴部６３とを備えているため、電気コネクタ１００全体の低背化を図りながら、端子金具１０を強固に保持することができる。
【００３９】
第二凹凸嵌合機構として、リヤホルダ６０の側面に設けられた第二凸部６４と、ハウジング３０の起立壁３６に開設された第二凹部である穴部３５とを備えているため、リヤホルダ６０をハウジング３０に接合したときのガタを無くすことができ、リヤホルダ６０を確実に接合することができる。起立壁３６は弾性的な可撓性を有しているので、組み立て後、リヤホルダ６０とハウジング３０とを引き離すような外力が加わったとき、起立壁３６の穴部３５が破損し難いという長所がある。
【００４０】
さらに、第三凹凸嵌合機構として、リヤホルダ６０の正面に設けられた第三凸部６５と、ハウジング３０の背面下方に設けられた第三凹部３７とを備えているため、ハウジング３０に接合されたリヤホルダ６０に浮きが発生するのを防止することができる。
【００４１】
一方、リヤホルダ６０の穴部６３にストッパ部６６が設けられているため、電気コネクタ１００の端子金具１０に挿入方向と逆方向の外力（引張力）が加わったときに端子金具１０が端子保持溝３２から抜けるのを防止することができる。また、ストッパ部６６の先端部分は鈍角をなしているため、ストッパ部６６に押圧力が加わったときに圧潰するのを防止することができる。
【００４２】
図１１，図１２に示すように、端子金具１０の第一係止部１１には、端子金具１０の軸心１０ｃに向かって凸状をなす係止突起１５が設けられ、この係止突起１５はその下方（軸心１０ｃ寄りの部分）に位置する天井部１７に当接可能な状態に配置されている。従って、端子金具１０のコンタクト１３内に相手端子５０が挿入され、天井部１７が押し上げられたとき、係止突起１５が天井部１７に当接して天井部１７の浮きが防止され、相手端子５０が確実に押圧接触されるので、保持力が高まり、確実な電気的接続を得ることができる。また、係止突起１５を設けたことにより、端子金具１０の第一係止部１１の背面側が、ハウジング３０の一次係止部３１の正面側に当接したときの接触面積を広く確保することができるので、保持力の向上に有効である。
【００４３】
また、図１３，図１４に示すように、リヤホルダ６０の正面には、端子金具１０の第二係止部１２の背面に垂下状に設けられた舌片形状の凸部１６が嵌入可能な段差状の凹部６７が設けられている。従って、図１０に示すように端子保持溝３２に挿入された端子金具１０に挿入方向と逆方向の外力（引張力）が加わって端子金具１０の第二係止部１２の背面側がリヤホルダ６０の正面側に当接したとき、端子金具１０の第二係止部１２の凸部１６と、リヤホルダ６０の凹部６７とが嵌合して接触面積を広く確保することができ、端子金具１０の保持力向上に有効である。
【００４４】
さらに、図１５に示すように、ハウジング３０の上面において、ロックアーム３８の押圧操作面３８ａと、ロックガード部３９の最上面３９ａとが略同一平面Ｓに位置するように配置されているため、コネクタ全体の低背化を図る上で有効である。また、ロックアーム３８に押し上げ力（押圧操作面３８ａが上昇する方向の力）が加わってロックアーム３８が上方に撓んだとき、従来のコネクタより低位置に形成されたロックガード部３９の下面にロックアーム３８が当接して、それ以上の撓みが阻止されるので、ロックアーム３８の変形や破損を防止することができる。また、ロックガード部３９の最上面３９ａが従来のコネクタよりも低位置にあるため、電気コネクタ１００及び雄ハウジング７０と、その上方に配置されるユニットフレーム８０や別ユニット８１との間に生じる無駄なスペースを無くすことができる。
【００４５】
なお、図１〜図１５に基づいて説明した電気コネクタ１００は本発明の一例を示すものであり、本発明の電気コネクタ１００は前述した電気コネクタ１００に限定されない。
【産業上の利用可能性】
【００４６】
本発明の電気コネクタ及び電気コネクタ用端子金具は、回路基板とワイヤハーネスとを電気的に接続する手段として、電子・電気機器産業や自動車産業などの各種産業分野において広く利用することができる。
【符号の説明】
【００４７】
１０  端子金具
１０ｃ  軸心
１１  第一係止部
１２  第二係止部
１３  コンタクト
１４  圧着部
１５  係止突起
１６  凸部
１７  天井部
２０  電気ケーブル
３０  ハウジング
３１  一次係止部
３２  端子保持溝
３３  隔壁
３４  第一凸部
３５  穴部（第二凹部）
３６  起立壁
３７  第三凹部
３８  ロックアーム
３８ａ  押圧操作面
３９  ロックガード部
３９ａ  最上面
５０  相手端子
６０  リヤホルダ
６１  ヒンジ部
６２  二次係止部
６３  穴部（第一凹部）
６４  第二凸部
６５  第三凸部
６６  ストッパ部
６７  凹部
７０  雄ハウジング
８０  ユニットフレーム
８１  別ユニット
１００  電気コネクタ
Ｑ  矢線
Ｒ  挟角
Ｓ  平面
【図１】
2014120484.tif 000003
【図２】
2014120484.tif 000004
【図３】
2014120484.tif 000005
【図４】
2014120484.tif 000006
【図５】
2014120484.tif 000007
【図６】
2014120484.tif 000008
【図７】
2014120484.tif 000009
【図８】
2014120484.tif 000010
【図９】
2014120484.tif 000011
【図１０】
2014120484.tif 000012
【図１１】
2014120484.tif 000013
【図１２】
2014120484.tif 000014
【図１３】
2014120484.tif 000015
【図１４】
2014120484.tif 000016
【図１５】
2014120484.tif 000017